(57)【特許請求の範囲】
【請求項１】
環状の枠部材と、この枠部材の開口を塞止する扉部材とを備え、この扉部材にて前記開口を塞止することによって、前記開口からの浸水を阻止する止水扉装置において、
前記枠部材に、前記扉部材の周縁部を受ける環状の受部が設けてあり、
この受部の適宜位置に前記扉部材に当接させる枠側凸部が、前記開口に倣って延設してあり、
前記扉部材の周縁部に前記受部に当接させる扉側凸部が、前記枠側凸部の当接部分と位置を異ならせて、当該当接部分に倣って延設してあり、
前記受部の前記扉側凸部の当接部分に、弾性材を用いてなる第１止水部材が、前記枠側凸部の当接面と面一で延設してあり、
前記扉部材の前記枠側凸部の当接部分に、弾性材を用いてなる第２止水部材が前記扉側凸部の当接面と面一で延設してあり、
前記扉部材で前記枠部材の開口を塞止した際に、前記第１止水部材と前記第２止水部材とが当接して変形密接し、前記扉側凸部と前記枠側凸部との間隙が、前記第１止水部材と前記第２止水部材とで充満されるよう構成した
ことを特徴とする止水扉装置。
【請求項２】
環状の枠部材と、この枠部材の開口を塞止する扉部材とを備え、この扉部材にて前記開口を塞止することによって、前記開口からの浸水を阻止する止水扉装置において、
前記扉部材は、同扉部材の背面の一側縁近傍の位置及び他側縁近傍の位置にそれぞれ複数配設され、前記枠部材に係止させて締め付けることにより、前記扉部材を前記枠部材に圧接させる第２締付け用ハンドルと、同第２締付け用ハンドルよりも締付け力を弱くした第１締付け用ハンドルとを備えると共に、
前記枠部材に、前記扉部材の周縁部を受ける環状の受部が設けてあり、
この受部の適宜位置に前記扉部材に当接させる枠側凸部が、前記開口に倣って延設してあり、
前記扉部材の周縁部に前記受部に当接させる扉側凸部が、前記枠側凸部の当接部分と位置を異ならせて、当該当接部分に倣って延設してあり、
前記受部の前記扉側凸部の当接部分に、弾性材を用いてなる第１止水部材が、前記枠側凸部の当接面と面一で延設してあり、
前記扉部材の前記枠側凸部の当接部分に、弾性材を用いてなる第２止水部材が前記扉側凸部の当接面と面一で延設してあり、
前記第２締付け用ハンドルにて前記扉部材を前記枠部材に圧接させて前記開口を塞止した際に、前記第１止水部材と前記第２止水部材とが当接して変形密接し、前記扉側凸部と前記枠側凸部との間隙が、前記第１止水部材と前記第２止水部材とで充満されるよう構成した
ことを特徴とする止水扉装置。
【発明の詳細な説明】
【技術分野】
【０００１】
本発明は、例えば外壁の出入口に取付けられ、当該出入口から内部へ水が浸入することを阻止する止水扉装置に関する。
【背景技術】
【０００２】
通路の内部に水が浸入することを防止する止水扉装置が開発されている（たとえば、特許文献１参照。）。すなわち、通路の両側壁にそれぞれ、方形の扉本体を支持する支柱が固設してあり、縦方向へ距離を隔てて配した複数のヒンジ部材によって、扉本体の一側縁部が一方の支柱に開閉可能に支持されている。両支持柱にはそれぞれ、扉本体の一面であって当該扉本体の両側縁近傍の部分を当接させる縦帯板状のフランジ部が設けてあり、扉本体の少なくとも前記両フランジ部に対向する部分には、ゴム材を用いてなる細帯状のパッキンが延設してある。
【０００３】
このような止水扉装置によって通路を塞止して止水するには、各ヒンジ部によって支持された扉本体を閉じ、当該扉本体の両側縁近傍の部分を両支柱のフランジ部にそれぞれ圧接させることによって、各パッキンを対応するフランジ部に水密状態に当接させ、内部への水の浸入を阻止するようになっていた。
【０００４】
【特許文献１】特開２００５−１１３６０６号公報
【発明の開示】
【発明が解決しようとする課題】
【０００５】
しかしながら、このような従来の止水扉装置にあっては、扉本体を入出用扉として使用する場合、開閉回数が多いため、磨耗によってパッキンといった止水部材の一部に亀裂等の破損が生じ易く、その部分から浸水が生じてしまうという問題があった。
【０００６】
本発明は斯かる事情に鑑みてなされたものであって、入出用扉として使用し得、止水部材の一部に損傷が生じた場合であっても、内部への浸水を防止することができる止水扉装置を提供する。
【課題を解決するための手段】
【０００７】
請求項１記載の本発明は、環状の枠部材と、この枠部材の開口を塞止する扉部材とを備え、この扉部材にて前記開口を塞止することによって、前記開口からの浸水を阻止する止水扉装置において、前記枠部材に、前記扉部材の周縁部を受ける環状の受部が設けてあり、この受部の適宜位置に前記扉部材に当接させる枠側凸部が、前記開口に倣って延設してあり、前記扉部材の周縁部に前記受部に当接させる扉側凸部が、前記枠側凸部の当接部分と位置を異ならせて、当該当接部分に倣って延設してあり、前記受部の前記扉側凸部の当接部分に、弾性材を用いてなる第１止水部材が、前記枠側凸部の当接面と面一で延設してあり、前記扉部材の前記枠側凸部の当接部分に、弾性材を用いてなる第２止水部材が前記扉側凸部の当接面と面一で延設してあり、前記扉部材で前記枠部材の開口を塞止した際に、前記第１止水部材と前記第２止水部材とが当接して変形密接し、前記扉側凸部と前記枠側凸部との間隙が、前記第１止水部材と前記第２止水部材とで充満されるよう構成したことを特徴とする。
【０００８】
請求項２記載の発明は、環状の枠部材と、この枠部材の開口を塞止する扉部材とを備え、この扉部材にて前記開口を塞止することによって、前記開口からの浸水を阻止する止水扉装置において、前記扉部材は、同扉部材の背面の一側縁近傍の位置及び他側縁近傍の位置にそれぞれ複数配設され、前記枠部材に係止させて締め付けることにより、前記扉部材を前記枠部材に圧接させる第２締付け用ハンドルと、同第２締付け用ハンドルよりも締付け力を弱くした第１締付け用ハンドルとを備えると共に、前記枠部材に、前記扉部材の周縁部を受ける環状の受部が設けてあり、この受部の適宜位置に前記扉部材に当接させる枠側凸部が、前記開口に倣って延設してあり、前記扉部材の周縁部に前記受部に当接させる扉側凸部が、前記枠側凸部の当接部分と位置を異ならせて、当該当接部分に倣って延設してあり、前記受部の前記扉側凸部の当接部分に、弾性材を用いてなる第１止水部材が、前記枠側凸部の当接面と面一で延設してあり、前記扉部材の前記枠側凸部の当接部分に、弾性材を用いてなる第２止水部材が前記扉側凸部の当接面と面一で延設してあり、前記第２締付け用ハンドルにて前記扉部材を前記枠部材に圧接させて前記開口を塞止した際に、前記第１止水部材と前記第２止水部材とが当接して変形密接し、前記扉側凸部と前記枠側凸部との間隙が、前記第１止水部材と前記第２止水部材とで充満されるよう構成したことを特徴とする。
【発明の効果】
【００１０】
請求項１記載の本発明では、環状の枠部材と、この枠部材の開口を塞止する扉部材とを備え、この扉部材にて前記開口を塞止することによって、前記開口からの浸水を阻止する止水扉装置において、前記枠部材に、前記扉部材の周縁部を受ける環状の受部が設けてあり、この受部の適宜位置に前記扉部材に当接させる枠側凸部が、前記開口に倣って延設してあり、前記扉部材の周縁部に前記受部に当接させる扉側凸部が、前記枠側凸部の当接部分と位置を異ならせて、当該当接部分に倣って延設してあり、前記受部の前記扉側凸部の当接部分に、弾性材を用いてなる第１止水部材が、前記枠側凸部の当接面と面一で延設してあり、前記扉部材の前記枠側凸部の当接部分に、弾性材を用いてなる第２止水部材が前記扉側凸部の当接面と面一で延設してあり、前記扉部材で前記枠部材の開口を塞止した際に、前記第１止水部材と前記第２止水部材とが当接して変形密接し、前記扉側凸部と前記枠側凸部との間隙が、前記第１止水部材と前記第２止水部材とで充満されるよう構成した。
【００１１】
従って、扉部材を閉じて、枠部材の開口を塞止した場合、扉部材の周縁部に延設した扉側凸部が枠部材の受部に延設した第１止水部材に当接するので、第１止水部材及び扉側凸部によって内部への浸水が阻止される。更に、枠部材の受部に延設した枠側凸部が扉部材の周縁部に延設した第２止水部材に当接するので、第２止水部材及び枠側凸部によっても内部への浸水が阻止される。
【００１２】
これによって、第１止水部材又は第２止水部材のいずれか一方に破損が生じた場合であっても、内部への浸水を阻止することができる。また、扉部材を閉じた場合、第１止水部材と第２止水部材とが当接して変形密接し、扉側凸部と枠側凸部との間隙が第１止水部材及び第２止水部材で充満され、第１止水部材及び第２止水部材に破損が生じた場合であっても、両破損が連通しなければ内部への浸水を阻止することができる。
【００１３】
請求項２記載の本発明では、扉部材は、同扉部材の背面の一側縁近傍の位置及び他側縁近傍の位置にそれぞれ複数配設され、前記枠部材に係止させて締め付けることにより、前記扉部材を前記枠部材に圧接させる第２締付け用ハンドルと、同第２締付け用ハンドルよりも締付け力を弱くした第１締付け用ハンドルとを備えると共に、前記枠部材に、前記扉部材の周縁部を受ける環状の受部が設けてあり、この受部の適宜位置に前記扉部材に当接させる枠側凸部が、前記開口に倣って延設してあり、前記扉部材の周縁部に前記受部に当接させる扉側凸部が、前記枠側凸部の当接部分と位置を異ならせて、当該当接部分に倣って延設してあり、前記受部の前記扉側凸部の当接部分に、弾性材を用いてなる第１止水部材が、前記枠側凸部の当接面と面一で延設してあり、前記扉部材の前記枠側凸部の当接部分に、弾性材を用いてなる第２止水部材が前記扉側凸部の当接面と面一で延設してあり、前記第２締付け用ハンドルにて前記扉部材を前記枠部材に圧接させて前記開口を塞止した際に、前記第１止水部材と前記第２止水部材とが当接して変形密接し、前記扉側凸部と前記枠側凸部との間隙が、前記第１止水部材と前記第２止水部材とで充満されるよう構成したため、さらに、入出用扉として使用した場合であっても、平常時は第１締付け用ハンドルだけで閉状態にすることによって、第１及び第２止水部材が磨耗することを可及的に防止することができる。
【発明を実施するための最良の形態】
【００１５】
本発明は、環状の枠部材と、この枠部材の開口を塞止する扉部材とを備え、この扉部材にて前記開口を塞止することによって、前記開口からの浸水を阻止するようにしてあり、前記枠部材に、前記扉部材の周縁部を受ける環状の受部が設けてあり、この受部の適宜位置に前記扉部材に当接させる枠側凸部が、前記開口に倣って延設してあり、前記扉部材の周縁部に前記受部に当接させる扉側凸部が、前記枠側凸部の当接部分と位置を異ならせて、当該当接部分に倣って延設してあり、前記受部の前記扉側凸部の当接部分に、弾性材を用いてなる第１止水部材が延設してあり、前記扉部材の前記枠側凸部の当接部分に、弾性材を用いてなる第２止水部材が延設してある。
【００１６】
この第１止水部材の一部と第２止水部材の一部とが重畳し得るようにしてある。
【００１７】
更に、前述した受部と第１止水部材との間に、第１止水部材より高い適宜硬度の弾性材を用いてなる緩衝部材が介装してある。
【００１８】
以下、本発明に係る止水扉装置を図面に基づいて詳述する。
【００１９】
図１は、本発明に係る止水扉装置の使用状態を示す正面図であり、図中、Ｗは、当該止水扉装置１を設置する壁部、Ｂは当該壁部Ｗを支持する基礎部である。また、図２は、図１に示した止水扉装置１の開閉状態を説明する説明図である。図１及び図２に示した如く、壁部Ｗの基礎部Ｂに連なる適宜位置には、縦長長方形状の出入口１０が開設してあり、この出入口１０には、止水扉装置１を構成する矩形環状の枠部材２が内嵌固定してある。枠部材２の開口は扉部材３によって塞止し得るようになっており、扉部材３は、扉部材３の正面一側縁近傍と枠部材２の一側部との間を連結すべく縦方向へ互いに距離を隔てて配してあり、回動支軸を枠部材２及び扉部材３から共に斜め方向へ離隔させてなる複数のリーフヒンジ４，４，…によって開閉自在に枠部材２に支持されている。
【００２０】
一方、扉部材２の背面の一側縁近傍の位置及び他側縁近傍の位置にはそれぞれ、複数の第２締付け用ハンドル６，６，…が、縦方向へ互いに距離を隔て立設した複数の枢軸によってそれぞれ回動自在に支持されている。各第２締付け用ハンドル６，６，…の一端部には、バレル状のローラがハンドルの中心軸周りに回転自在に設けてあり、各第２締付け用ハンドル６，６，…の他端部を把持して各回転軸周りに回動させ、第２締付け用ハンドル６，６，…のローラを枠部材２に乗り上げ係止させることによって、扉部材３を枠部材２に圧接し得るようになっている。
【００２１】
また、扉部材３の背面であって、リーフヒンジ６，６，…がわとは異なる他側縁部近傍の縦方向の略中央位置には、扉部材３の開閉時に使用する第１締付け用ハンドル５が、扉部材３の背面に立設した枢軸によって回動自在に配設してある。
【００２２】
図３は、図１に示したＩＩＩ−ＩＩＩ線による一部省略断面図であり、図４は、図１に示したＩＶ−ＩＶ線による一部省略断面図である。図３及び図４に示した如く、枠部材２は、壁部Ｗの出入口１０に臨む両内側部Ｗａ，Ｗａに対向配置させる第１縦部２１及び第２縦部２２、壁部Ｗの出入口１０に臨む天井部Ｗｂに対向配置させる第１横部２３、並びに、壁部Ｗの出入口１０に臨む基礎部Ｂに対向配置させる第２横部２４を備えており、第２横部２４を除く第１及び第２縦部２１，２２並びに第１横部２３の断面形状は略同じにしてある。これら第１及び第２縦部２１，２２並びに第１横部２３の構造について、第１縦部２１を例に説明する。
【００２３】
第１縦部２１は、金属製の帯板を一段階段状に屈曲させることによって、相対的に凸の基部２１ａと、扉部材３の背面縁部を受ける相対的に凹の受部２１ｃとの間に段差部２１ｂを設けてなり、この段差部２１ｂの奥行き寸法は、扉部材３の厚さ寸法より少し大きくしてある。前記帯板の受部２１ｃがわの側縁部及び基部２１ａがわの縁部はそれぞれ、略長方形の一部開放箱状に屈曲させて第１縦部２１の構造強度を高くすると共に、受部２１ｃに対向する部分は、前述した第２締付け用ハンドル６，６，…を係止させる係止部２１ｄにしてある。この係止部２１ｄの内側の角部は、その先端部へ向かうに連れて係止部２１ｄと受部２１ｃとの間の距離が漸次小さくなるテーパにしてあり、第２締付け用ハンドル６，６，…を係止部２１ｄに乗り上げ係止し易くしてある。
【００２４】
前述した受部２１ｃの段差部２１ｂとは反対側の縁部には、枠側凸部２１ｅ（２０）が第１縦部２１の全長に亘って延設してあり、受部２１ｃの枠側凸部２１ｅと段差部２１ｂとの間には、例えば適宜硬度の板ゴムを用いてなる、緩衝部材２５が嵌合固定してある。この緩衝部材２５上に、緩衝部材２５より柔らかい材質の防水ゴム（例えば、製品番号Ｅ０３３４、株式会社ニトムズ製）を用いてなる、細帯状の第１止水部材２６が貼着してある。
【００２５】
かかる第１縦部２１は、その基部２１ａ及び段差部２１ｂが図３及び図４に示した如く、壁部Ｗの出入口１０に臨む外面側角部に外嵌するように配されている。一方、壁部Ｗの出入口１０に臨む両内側部Ｗａ，Ｗａ及び天井部Ｗｂには金属板をＣ字状に成形してなる支持材７，７，７がそれぞれ埋設してある。
【００２６】
前述した第１縦部２１の両側縁部間の長手方向の適宜位置には板状の複数の繋止部材８（８，８，…）が架設してあり、繋止部材８（８，８，…）と前記支持材７とを連結部材９，９，…によって連結し、枠部材２と壁部Ｗとの間にコーキング材１７を充填するによって、第１縦部２１が壁部Ｗに水密状態に固定してある。
【００２７】
また、以上と同様の作業を実施して、第２縦部２２及び第１横部２３も壁部Ｗに水密状態に固定してある。
【００２８】
一方、前述した第２横部２４は、図４に示した如く、金属製の帯板を横転底無Ｌ字殻形状に屈曲させることによって、相対的に凸の基部２４ａと、相対的に凹の受部２４ｃとの間に段差部２４ｂを設けてなり、この段差部２４ｂの奥行き寸法は、前述した第１縦部２１の段差部２１ｂの奥行き寸法と同じにしてある。
【００２９】
この第２横部２４の受部２４ｃの段差部２４ｂとは反対側の縁部には、前述した第１縦部２１と同様、枠側凸部２４ｅ（２０）が第２横部２４の全長に亘って延設してあり、受部２４ｃの枠側凸部２４ｅと段差部２４ｂとの間には、緩衝部材２５が嵌合固定してある。更に、前同様、緩衝部材２５上に、細帯状の第１止水部材２６が貼着してある。
【００３０】
そして、第２横部２４の基部２４ａを、前記第１縦部２１の正面と面一になり、基礎部Ｂに対して受部２４ｃが起立するように第２横部２４を配し、第２横部２４を形成する帯板の受部２４ｃがわの側縁部及び前記基部２４ａの一部を基礎部Ｂ内に埋設することによって、第２横部２４が基礎部Ｂに水密状態に固定してある。なお、第２横部２４は、基礎部Ｂ内に埋設したアンカー部材７０によって、基礎部Ｂへの固定強度が担保されている。
【００３１】
ところで、扉部材３は、図３及び図４に示した如く、長方形厚板殻状の扉本体３０の内部に、該扉本体３０の厚さ寸法と略同じ幅寸法を有し、断面視がコ字状の基枠３１を配設して形成してある。扉本体３０の背面の周縁部には、環状の扉側凸部３２が延設してあり、この扉側凸部３２の高さ寸法は、前述した枠側凸部２０の高さ寸法より適宜寸法だけ小さくしてある。
【００３２】
扉本体３０の背面の前記扉側凸部３２より適宜寸法だけ内側の位置、即ち、枠部材２の開口を塞止すべく扉部材３を閉じたときに、前述した枠側凸部２０に対向する位置より内側の位置には、扉側凸部３２の高さ寸法と略同じ高さ寸法になした環板状の内壁部３３を扉側凸部３２と平行に立設して溝部３４が形成あり、該溝部３４内には、前述した第１止水部材２６と同じ材料で形成した環帯状の第２止水部材３６が内嵌固着してある。
【００３３】
前述した第１締付け用ハンドル５及び第２締付け用ハンドル６，６，…は、前記内壁部３３より内側に配設してある。また、第２締付け用ハンドル６の内部には、締付け姿勢を維持するためのストッパ（図示せず）が内蔵してあり、第２締付け用ハンドル６の回動中心には、前記ストッパを解除する解除ボタン６１が進退可能に突設してある。前記ストッパは、第２締付け用ハンドル６を締付け姿勢に回動させた場合に作動してその姿勢を維持させるようになっており、解除ボタン６１を指で押圧して後退させることによって、解除されるようになっている。
【００３４】
ところで、前述した第１締付け用ハンドル５は、例えば高さ寸法を第２締付け用ハンドル６の高さ寸法より僅かに小さくして、扉部材３の締付け力を第２締付け用ハンドル６による扉部材３の締付け力より弱くしてあり、内部への浸水を阻止する場合以外の平常時にあっては、第１締付け用ハンドル５だけで扉部材３を枠部材２に締付けて、扉部材３を枠部材２に当接させる閉状態にするようにしてある。これによって、入出用扉として使用した場合であっても、平常時は第１締付け用ハンドル５だけで閉状態にすることによって、第１及び第２止水部材２６，３６が磨耗することを可及的に防止することができる。
【００３５】
一方、前述した第１縦部２１の基部２１ａには、前述したリーフヒンジ４，４，…の一端が螺子止してあり、リーフヒンジ４，４，…の他端は扉本体３０の正面に螺子止してある。リーフヒンジ４は、一端側の短寸部分と他端側の長寸部分とを枢軸部を介して回動自在に連結してなり、この枢軸部が枠部材２の開口及び壁部Ｗから距離を隔てて位置している。これによって、扉部材３を閉じる場合、扉本体３０が枠部材２の受部２１ｃ，２２ｃ，２３ｃ，２４ｃに当接する直前における扉本体３０の受部２１ｃ，２２ｃ，２３ｃ，２４ｃに対する姿勢が、受部２１ｃ，２２ｃ，２３ｃ，２４ｃと可及的に平行にさせることができるので、第１及び第２止水部材２６，３６が扉部材３及び枠部材２と擦れて磨耗することを可及的に防止することができ、第１及び第２止水部材２６，３６の寿命を長くすることができる。
【００３６】
ところで、リーフヒンジ４，４，…の枢軸部内には、前述した緩衝部材２５及び第１及び第２止水部材２６，３６の厚さに応じて、僅かな遊び（例えば２ｍｍ程度）が設けてあり、これによって第１及び第２止水部材２６，３６のリーフヒンジ４，４，…側の部分に、押圧が過剰に印加されることが防止される。
【００３７】
図５は、図３に示した止水扉装置の部分拡大図であり、図中、（ａ）は開放状態を、（ｂ）は止水状態をそれぞれ示している。なお、図５中、図３に示した部分に対応する部分には同じ番号を付してその説明を省略する。本図を用いて本発明に係る止水扉装置による止水機構を説明する。
【００３８】
図５（ａ）に示した如く、開放状態では、第２締付けハンドル６は枠部材２に係止せずに縦姿勢になっており、扉側凸部３２と枠部材２側の第１止水部材２６との間、及び枠側凸部２０と扉部材３側の第２止水部材３６との間には、隙間が生じている。
【００３９】
一方、止水状態では、図５（ｂ）に示した如く、第２締付けハンドル６は枠部材２の係止部２２ｄに乗り上げ係止して横姿勢になっており、第２締付けハンドル６からの締め付け力によって、扉部材３が枠部材２に圧接されている。このとき、係止部２２ｄの角部をテーパにしてあるため、第２締付けハンドル６を係止部２２ｄに容易に乗り上げ係合させることができる。
【００４０】
そして、扉側凸部３２は受部２２ｃの幅方向の適宜位置に対向しており、扉側凸部３２の押圧によって、枠部材２側の第１止水部材２６が扉側凸部３２に水密状に変形密着している。また、枠側凸部２２ｅ（２０）は、扉本体３０に設けた溝部３４の幅方向の適宜位置に対向しており、扉本体３０の押圧によって、溝部３４に内嵌してある第２止水部材３６が枠側凸部２２ｅ（２０）に水密状に変形密着している。
【００４１】
このように第１止水部材２６と扉側凸部３２とによって水密を保持することができ、更に、第２止水部材３６と枠側凸部２０とによっても水密を保持することができるため、第１止水部材２６又は第２止水部材３６のいずれか一方に破損が生じた場合であっても、内部への浸水を阻止することができる。
【００４２】
また、第１止水部材２６の縁部と第２止水部材３６の縁部とが重畳当接し得るようにしてあるため、扉部材３を閉じた場合、第１止水部材２６の縁部と第２止水部材３６の縁部とが当接して変形密接し、扉側凸部３２と枠側凸部２０との間隙が第１止水部材２６及び第２止水部材３６で充満され、第１止水部材２６及び第２止水部材３６に破損が生じた場合であっても、両破損が連通しなければ内部への浸水を阻止することができる。
【００４３】
一方、第１止水部材２６と受部２２ｃとの間に緩衝部材２５が介装してあるため、第２締付けハンドル６の締付け力によって、扉側凸部３２にて第１止水部材２６が破損されることが防止される。
【００４４】
なお、本実施の形態では、扉部材３を閉じた状態で、枠側凸部２０に対して扉側凸部３２が外側に位置するようにしてあるが、本発明はこれに限らず、その逆の配置、すなわち、扉側凸部３２に対して枠側凸部２０が外側に位置するようにしてもよい。
【００４５】
また、第１締付けハンドル５及び第２締付けハンドル６，６，…を扉部材３の正面側に配設し、枠部材２の基部２１ａ，２２ａ，２３ａ，２４ａに係止させるようにしてもよいことはいうまでもない。
【図面の簡単な説明】
【００４６】
【図１】本発明に係る止水扉装置の使用状態を示す正面図である。
【図２】図１に示した止水扉装置の開閉状態を説明する説明図である。
【図３】図１に示したＩＩＩ−ＩＩＩ線による一部省略断面図である。
【図４】図１に示したＩＶ−ＩＶ線による一部省略断面図である。
【図５】図３に示した止水扉装置の部分拡大図である。
【符号の説明】
【００４７】
１    止水扉装置
２    枠部材
３    扉部材
４    リーフヒンジ
５    第１締付けハンドル
６    第２締付けハンドル
１０    出入口
２０    枠側凸部
２１    第１縦部
２１ａ  基部
２１ｂ  段差部
２１ｃ  受部
２１ｄ  係止部
２１ｅ  枠側凸部
２３    第１横部
２４    第２横部
２５    緩衝部材
２６    第１止水部材
３０    扉本体
３２    扉側凸部
３３    内壁部
３４    溝部
３６    第２止水部材
Ｗ    壁部
Ｗａ    内側部
Ｗｂ    天井部
Ｂ      基礎部
【図１】
0004534076.tif 000002
【図２】
0004534076.tif 000003
【図３】
0004534076.tif 000004
【図４】
0004534076.tif 000005
【図５】
0004534076.tif 000006